(57)【要約】      （修正有）【課題】装着される部位によらず、優れた防寒性能を発揮しうる防寒具を提供する。【解決手段】少なくとも使用者の一部を覆う布材３を含む本体部２を具えた防寒具１であって、布材３は、少なくとも使用者の一部が通過する開口部４を有し、本体部２は、開口部４の内径を拡縮する拡縮手段７を含んでいる。防寒具は、装着される使用者の部位によらず、縮径状態の開口部が使用者の一部に係合し、布材が使用者の一部を覆うので、優れた防寒性能を発揮する。本体部に布材の温度を上昇させる電熱線１１と電熱線に接続された電力端子部１２を含む発熱装置を設ければさらに防寒性能が向上する。【選択図】図１
0003187265.tif 000002
【実用新案登録請求の範囲】
【請求項１】
使用者の少なくとも一部を覆う布材を含む本体部を具えた防寒具であって、
前記布材は、少なくとも使用者の一部が通過する開口部が形成され、
前記本体部は、前記開口部の内径を拡縮する拡縮手段を含むことを特徴とする防寒具。
【請求項２】
前記開口部は、略円形状に形成され、
前記布材は、平面視において、前記開口部と略同心に配された略円形状の外縁部を有し、前記開口部と前記外縁部との間を予め設定された幅で環状にのびている請求項１記載の防寒具。
【請求項３】
前記布材の幅は、前記外縁部の半径と前記開口部の最大半径との差より大きい請求項２記載の防寒具。
【請求項４】
前記拡縮手段は、前記開口部に沿って配された紐体と、前記紐体を前記本体部から引き出した状態を固定及び解除しうるストッパーとを含む請求項１乃至３のいずれかに記載の防寒具。
【請求項５】
前記布材は、前記本体部の外側面を形成する外側布材と、内側面を形成する内側布材とを含み、
前記外側布材及び前記内側布材は、それぞれ表面に起毛を有し、
前記外側布材の起毛長さは、前記内側布材の起毛長さより大きい請求項１乃至４のいずれかに記載の防寒具。
【請求項６】
前記本体部は、前記外側布材と前記内側布材との間をのびる電熱線と、前記電熱線に接続されかつ前記布材から露出する電力端子部と、前記電力端子部及び電源を接続する電源コードと、前記電源コードに接続されかつ前記電熱線に供給する電力量を調節する制御部とを含む発熱装置を含み、
前記電源コードは、前記電力端子部に着脱自在である請求項５記載の防寒具。
【請求項７】
前記本体部は、前記布材に形成されかつ前記電源コード又は前記制御部を保持する保持部を含む請求項６記載の防寒具。
【考案の詳細な説明】
【技術分野】
【０００１】
本考案は、使用者の一部を覆う本体部を具えた防寒具に関する。
【背景技術】
【０００２】
従来、使用者の一部を覆う布状の本体部を含む防寒具が知られている。このような防寒具として、例えば、使用者の首元を暖める帯状のマフラーや、環状のスヌード等が挙げられる。これらの防寒具は、例えば、使用者と外気との直接的な接触を防ぎ、使用者の体温低下を抑制することにより、防寒性能が発揮される。より詳しくは、防寒具は、防寒具と使用者との間に外気から遮蔽された空間を形成する。この空間は、使用者の体温で暖められる。このような空間は、使用者の体温が外気に放出されるのを抑制する。
【考案の概要】
【考案が解決しようとする課題】
【０００３】
しかしながら、例えば、臀部にスヌードを装着する場合、スヌードの内径と使用者の臀部の外径とが一致せず、装着が困難となるおそれがあった。
【０００４】
一方、例えば、臀部にマフラーを巻き付けた場合、マフラーが臀部から容易に滑り落ちるという問題があった。
【０００５】
本考案は、以上のような実状に鑑み案出されたもので、装着される使用者の部位によらず、優れた防寒性能を発揮しうる防寒具を提供することを目的とする。
【課題を解決するための手段】
【０００６】
本考案は、使用者の少なくとも一部を覆う布材を含む本体部を具えた防寒具であって、前記布材は、少なくとも使用者の一部が通過する開口部が形成され、前記本体部は、前記開口部の内径を拡縮する拡縮手段を含むことを特徴とする。
【０００７】
本考案に係る前記防寒具では、前記開口部は、略円形状に形成され、前記布材は、平面視において、前記開口部と略同心に配された略円形状の外縁部を有し、前記開口部と前記外縁部との間を予め設定された幅で環状にのびているのが望ましい。
【０００８】
本考案に係る前記防寒具では、前記布材の幅は、前記外縁部の半径と前記開口部の最大半径との差より大きいのが望ましい。
【０００９】
本考案に係る前記防寒具では、前記拡縮手段は、前記開口部に沿って配された紐体と、前記紐体を前記本体部から引き出した状態を固定及び解除しうるストッパーとを含むのが望ましい。
【００１０】
本考案に係る前記防寒具では、前記布材は、前記本体部の外側面を形成する外側布材と、内側面を形成する内側布材とを含み、前記外側布材及び前記内側布材は、それぞれ表面に起毛を有し、記外側布材の起毛長さは、前記内側布材の起毛長さより大きいのが望ましい。
【００１１】
本考案に係る前記防寒具では、前記本体部は、前記外側布材と前記内側布材との間をのびる電熱線と、前記電熱線に接続されかつ前記布材から露出する電力端子部と、前記電力端子部及び電源を接続する電源コードと、前記電源コードに接続されかつ前記電熱線に供給する電力量を調節する制御部とを含む発熱装置を含み、前記電源コードは、前記電力端子部に着脱自在であるのが望ましい。
【００１２】
本考案に係る前記防寒具では、前記本体部は、前記布材に形成されかつ前記電源コード又は前記制御部を保持する保持部を含むのが望ましい。
【考案の効果】
【００１３】
本考案の防寒具は、本体部の布材に、少なくとも使用者の一部が通過する開口部が形成され、前記本体部が、前記開口部の内径を拡縮する拡縮手段を含んでいる。該防寒具が使用者に装着される際、拡縮手段により開口部が拡縮される。例えば、防寒具が使用者の首元に装着される際、拡径状態の開口部が使用者の頭部を通過した後、開口部が拡縮手段により縮径される。同様に、例えば、防寒具が使用者の臀部に装着される際、拡径状態の開口部が使用者の臀部を通過した後、開口部が拡縮手段により縮径される。従って、本考案の防寒具では、装着される使用者の部位によらず、縮径状態の開口部が使用者の一部に係合し、本体部の布材が使用者の一部を覆うことができ、優れた防寒性能を発揮しうる。
【図面の簡単な説明】
【００１４】
【図１】本考案の一実施形態を示す防寒具の斜視図である。
【図２】図１の本体部の断面図である。
【図３】図１の拡縮手段のストッパーの断面図である。
【図４】図１の発熱装置付近が拡大された平面図である。
【図５】図１の保持部付近の部分拡大図である。
【図６】防寒具の装着例を示す概略斜視図である。
【図７】防寒具の他の装着例を示す概略斜視図である。
【図８】防寒具の他の装着例を示す概略斜視図である。
【考案を実施するための形態】
【００１５】
以下、本考案の実施の一形態が図面に基づき説明される。
図１には、本実施形態の防寒具１の斜視図が示されている。図１に示されるように、防寒具１は、少なくとも使用者の一部を覆う布材３を含む本体部２を具えている。図１には、例えば、本体部２が平面に拡げられかつ本体部２の上端部が平面から持ち上げられた状態の防寒具１が描かれている。
【００１６】
布材３は、少なくとも使用者の一部、本実施形態では使用者の臀部が通過可能な寸法を有する開口部４が形成されている。本実施形態の開口部４は、略円形状に形成されている。
【００１７】
本実施形態の布材３は、平面視において、開口部４と略同心に配された略円形状の外縁部５を有している。布材３は、例えば、開口部４と外縁部５との間を予め設定された幅Ｗで環状にのびている。
【００１８】
本実施形態の布材３の幅Ｗは、例えば、外縁部５の半径Ｗｏと開口部４の最大半径Ｗｉとの差より大きいのが望ましい。この布材３は、布材３に負荷が掛からない状態において、外縁部５の半径Ｗｏが大きく開口部４の半径Ｗｉが小さなテーパー状に、即ち、円錐形状の表面に近似した３次元形状にすることができる。このような布材３は、使用者の部位に沿ってフィットし易く、使用者との間の空間を維持するのに役立つ。
【００１９】
本実施形態の布材３の幅Ｗは、好ましくは２００mm以上、より好ましくは２５０mm以上であり、好ましくは５００mm以下、より好ましくは４５０mm以下である。幅Ｗが２００mm未満の場合、使用者の一部を充分に覆うことが困難となる。逆に、幅Ｗが５００mmより大きい場合、防寒具１の重量が大きくなり、防寒具１を装着した使用者の装着感が悪化するおそれがある。
【００２０】
図２には、本体部２の断面図が示されている。図２に示されるように、本実施形態の本体部２は、外側面を形成する外側布材３ｏと、内側面を形成する内側布材３ｉとを含んでいる。これら外側布材３ｏ及び内側布材３ｉは、それぞれ表面に複数の起毛６ｏ、６ｉを有しているのが望ましい。外側布材３ｏ及び内側布材３ｉは、それぞれ起毛６ｏ、６ｉの間に空気を保持でき、防寒具１を装着した使用者を外気から遮蔽するため、防寒性能を向上しうる。
【００２１】
本実施形態の外側布材３ｏの起毛長さＬｏは、例えば、内側布材３ｉの起毛長さＬｉより大きいのが望ましい。起毛長さＬｉが起毛長さＬｏより大きい場合、内側布材３ｉの起毛６ｉが防寒具１を装着した使用者に、例えば、ごわごわとした好ましくない装着感を与えるおそれがある。本実施形態の外側布材３ｏ及び内側布材３ｉの構成によれば、防寒具１を装着した使用者に快適な装着感を与え、かつ、外側布材３ｏ及び内側布材３ｉの起毛６ｏ、６ｉにより防寒性能を向上させることができる。
【００２２】
本実施形態の起毛長さＬｏは、例えば、３０〜５０mmの範囲である。起毛長さＬｏが３０mmより小さい場合、起毛６ｏ間に充分な空気を保持させるのが難しい。逆に、起毛長さＬｏが５０mmより大きい場合、防寒具１の重量が増加するだけでなく、起毛６ｏが互いに絡まるおそれがある。
【００２３】
図１に示されるように、本体部２は、開口部４の内径を拡縮する拡縮手段７を含んでいる。
【００２４】
本実施形態の拡縮手段７は、紐体８と、ストッパー９とを含んでいる。紐体８は、例えば、開口部４に沿って形成された環状の空洞部８ａに通されている。空洞部８ａは、例えば、外側布材３ｏと内側布材３ｉとの間に形成されている。空洞部８ａは、本体部２で開口している。この開口から紐体８が外部へはみ出している。紐体８は、空洞部８ａから引き出された長さに応じて、開口部４の内径を縮径させる。逆に、開口部４が引き広げられ、紐体８が空洞部８ａ内に引き込まれた長さに応じて、開口部４の内径が拡径される。
【００２５】
ストッパー９は、例えば、紐体８を空洞部８ａから引き出した状態を固定及び解除しうる。ストッパー９は、例えば、空洞部８ａの入口より大きな外径を有していればよい。本実施形態のストッパー９は、従来の所謂コードストッパーが好適に用いられる。
【００２６】
図３には、ストッパー９の断面図が示されている。図３に示されるように、本実施形態のストッパー９は、例えば、紐体８が挿通される横穴が形成された外殻部９ａと、紐体８が挿通される横穴が形成されたロッド９ｂと、ロッド９ｂを付勢するバネ体９ｃとを含んでいる。外殻部９ａには、横穴と交差する縦穴が形成され、この縦穴の底部にバネ体９ｃを介してロッド９ｂが配されている。このストッパー９では、ロッド９ｂが外殻部９ａ側に押し込まれるとともに、紐体８が外殻部９ａ及びロッド９ｂの横穴に挿通される。これにより、バネ体９ｃにより外殻部９ａの外側に付勢されるロッド９ｂの横穴と、外殻部９ａの横穴とで紐体８が挟持され、ストッパー９が紐体８の任意の位置に固定される。外殻部９ａは、空洞部８ａの開口より大きな外径を有しているため、ストッパー９は、紐体８の空洞部８ａ付近に係合されることにより、紐体８が空洞部８ａ内に引き込まれることを防止する。
【００２７】
図１に示されるように、本実施形態の防寒具１は、拡縮手段７により開口部４が拡縮自在である。このため、例えば、防寒具１が使用者の首元に装着される際、拡径状態の開口部４が使用者の頭部を通過した後、開口部４が拡縮手段７により縮径される。同様に、例えば、防寒具１が使用者の臀部に装着される際、拡径状態の開口部４が使用者の臀部を通過した後、開口部４が拡縮手段７により縮径される。従って、本実施形態の防寒具１では、装着される使用者の部位によらず、縮径状態の開口部４が使用者の一部に係合し、本体部２の布材３が使用者の一部を覆うことができ、優れた防寒性能を発揮しうる。
【００２８】
本実施形態の本体部２は、例えば、布材３の温度を上昇させる発熱装置１０を含んでいる。
【００２９】
図４には、発熱装置１０付近が拡大された平面図が示されている。図４に示されるように、本実施形態の発熱装置１０は、例えば、電熱線１１と、電熱線１１に接続された電力端子部１２と、電力端子部１２及び電源を接続する電源コード１３と、電源コード１３に接続された制御部１４とを含んでいる。
【００３０】
図２又は図４に示されるように、本実施形態の電熱線１１は、外側布材３ｏと内側布材３ｉとの間をのびている。該電熱線１１は、例えば、布材３への通電を防止するため、ゴム等の被覆剤１１ａで被覆されている。また、電熱線１１は、布材３の温度を均等に上昇させるため、例えば、布材３の全面を蛇行するように配されている。なお、電熱線１１は、布材３の全面を蛇行するように配された形状を維持するために、例えば、外側布材３ｏと内側布材３ｉとの間に配されたナイロン又はセロハン等に蒸着されてもよい。
【００３１】
図１又は図４に示されるように、本実施形態の電力端子部１２は、例えば、布材３の外縁部５から露出されている。該電力端子部１２は、例えば、外縁部５を挟持することにより、布材３に取り付いている。
【００３２】
本実施形態の電源コード１３は、例えば、電力端子部１２に着脱自在である。このため、防寒具１を装着した使用者が他の動作を行う際、電源コード１３が取り外されることにより、使用者の動作を電源コード１３が妨げることを防止できる。
【００３３】
本実施形態の電源コード１３は、例えば、長さが１５〜２０mの範囲であり、充分な長さを有している。このため、防寒具１を装着した使用者は、発熱装置１０を作動させた状態で、他の動作を行うことも可能である。
【００３４】
本実施形態の制御部１４は、例えば、電熱線に供給する電力を無段階に調節する調節スイッチ１４ａを有している。制御部１４は、調節スイッチ１４ａが操作されると、例えば、布材３の温度を２５〜５０度の範囲に上昇させる。なお、制御部１４は、調節スイッチ１４ａが操作されると、布材３の温度を、布材３に付着したダニ等を退治するダニ退治用の温度範囲に、例えば、５０〜７０度の範囲に上昇させることができる。
【００３５】
本実施形態の発熱装置１０は、例えば、制御部１４に、乾電池や充電式乾電池等の電源としてのバッテリー（図示省略）が収納される構成であってもよい。このような発熱装置１０は、コンセントの無い場所でも、作動させることができる。
【００３６】
上記の通り本実施形態の発熱装置１０によれば、電力端子部１２及び電源コード１３を介して電熱線１１に電力が供給され、電熱線１１が発熱し、布材３の温度が上昇される。このとき、制御部１４により電熱線１１に供給される電力量が調節され、布材３の温度が調節される。このため、本実施形態の防寒具１は、使用者の温度を上昇させることができ、より一層優れた防寒性能を発揮しうる。
【００３７】
本実施形態の本体部２は、例えば、布材３に形成された保持部１５を含んでいる。
【００３８】
図５には、図１の保持部１５付近の部分拡大図が示されている。図５に示されるように、本実施形態の保持部１５は、例えば、布材３からのびる一対の紐体１５ａ、１５ａにより構成されている。本実施形態の保持部１５は、これら紐体１５ａにより、電源コード１３又は制御部１４を結び付けることにより、電源コード１３及び制御部１４を本体部２で保持することができる。
【００３９】
本実施形態の保持部１５は、電源コード１３又は制御部１４を本体部２で保持することができるため、防寒具１を装着した使用者が、例えば、発熱装置１０を作動させた状態で他の動作を行う際、電源コード１３及び制御部１４が使用者の動作の妨げになることを防止しうる。
【００４０】
以下、本実施形態の防寒具１の使用例について説明される。
図６には、使用者の首元に装着された防寒具１が示されている。図６に示されるように、この使用例では、本体部２が使用者の首元から上半身の一部を覆っている。この場合、まず、布材３の内側布材３ｉが使用者側となるように、拡径状態の開口部４に、使用者の頭部を通過させる。そして、拡縮手段７の紐体８を引き絞ることにより、開口部４を縮径し、縮径状体の開口部４と使用者の首元とを係合させる。この後、ストッパー９により紐体８を固定させることにより、防寒具１が使用者に装着される。
【００４１】
図７には、使用者の臀部に装着された防寒具１が示されている。図７に示されるように、この使用例では、本体部２が、使用者の臀部を覆っている。この場合、まず、布材３の内側布材３ｉが使用者側となるように、拡径状態の開口部４に、使用者の足先側から臀部を通過させる。そして、拡縮手段７の紐体８を引き絞ることにより、開口部４を縮径し、縮径状体の開口部４と使用者の臀部の上部とを係合させる。この後、ストッパー９により紐体８を固定させることにより、防寒具１が使用者に装着される。
【００４２】
図８には、使用者の足先に装着された防寒具１が示されている。図８に示されるように、この使用例では、本体部２が、仰向け状態の使用者の足先を覆っている。足先は、人体の中心部から最も遠い位置にあり、特に冷え易い傾向にある。この使用例の防寒具１は、使用者の足先と外気との接触や、使用者の足先の体温の低下を抑制することができ、優れた防寒性能を発揮しうる。
【００４３】
以上、本考案の特に好ましい実施形態について詳述したが、本考案は図示の実施形態に限定されることなく、種々の態様に変形して実施しうる。
【符号の説明】
【００４４】
１    防寒具
２    本体部
３    布材
４    開口部
７    拡縮手段
【図１】
0003187265.tif 000003
【図２】
0003187265.tif 000004
【図３】
0003187265.tif 000005
【図４】
0003187265.tif 000006
【図５】
0003187265.tif 000007
【図６】
0003187265.tif 000008
【図７】
0003187265.tif 000009
【図８】
0003187265.tif 000010